(57)【要約】【課題】クールダウン中の冷却ファンの駆動音などによる騒音を緩和するプロジェクタを提供することである。【解決手段】プロジェクタ１，２は、光束を射出する光源装置（ランプ７１）の消灯後に、継続して発熱部位（例えば、ランプ７１）の冷却を行うテレビジョン放送受信機能付きのプロジェクタ１，２であって、冷却の期間中（クールダウン中）は、音声が出力される。また、冷却の期間が終了すると、冷却の動作および音声出力を停止させ、併せてプロジェクタ１，２の電源（電源部４０）をオフさせる。【選択図】図１
2007281558.tif 000002
【特許請求の範囲】
【請求項１】
光束を射出する光源装置の消灯後に、継続して発熱部位の冷却を行うテレビジョン放送
受信機能付きのプロジェクタであって、
前記冷却の期間中は、音声が出力されることを特徴とするプロジェクタ。
【請求項２】
請求項１に記載のプロジェクタであって、
前記冷却の期間が終了すると、前記冷却の動作および前記音声出力を停止させ、併せて
前記プロジェクタの電源をオフさせることを特徴とするプロジェクタ。
【請求項３】
請求項１または請求項２に記載のプロジェクタであって、
前記光源装置から射出された前記光束を画像情報に応じて変調して光学像を形成する光
変調部と、
前記光変調部により形成された前記光学像を投写する投写部と、
前記テレビジョン放送を受信する受信部と、
前記音声を出力する出力部と、
所定時間を計時するタイマ部と、
前記タイマ部が起動し、計時時間が前記所定時間に達すると前記光源装置を消灯させる
と共に、前記冷却の動作を開始させ、前記冷却の期間内では、前記音声を前記出力部に出
力させる制御を行う制御部と、を備えることを特徴とするプロジェクタ。
【請求項４】
請求項１または請求項２に記載のプロジェクタであって、
前記光源装置から射出された前記光束を画像情報に応じて変調して光学像を形成する光
変調部と、
前記光変調部により形成された前記光学像を投写する投写部と、
前記テレビジョン放送を受信する受信部と、
前記音声を出力する出力部と、
前記プロジェクタの電源をオフするまでの時間を、前記光源装置を消灯させるまでの第
１所定時間と、光源装置消灯後に前記発熱部位の冷却を行う第２所定時間とに分けて計時
するタイマ部と、
前記タイマ部が起動し、計時時間が前記第１所定時間に達すると前記光源装置を消灯さ
せるとともに、前記冷却の動作を開始させ、前記音声を前記出力部に出力させ、計時時間
が前記第２所定時間に達すると、前記冷却の動作および前記音声の出力を停止し、併せて
前記プロジェクタの電源をオフする制御を行う制御部と、を備えることを特徴とするプロ
ジェクタ。
【請求項５】
請求項１または請求項２に記載のプロジェクタであって、
前記光源装置から射出された前記光束を画像情報に応じて変調して光学像を形成する光
変調部と、
前記光変調部により形成された前記光学像を投写する投写部と、
前記テレビジョン放送を受信する受信部と、
前記受信部で受信した前記テレビジョン放送の音声を出力する出力部と、
前記受信部で受信する前記テレビジョン放送の信号の中から番組情報を取得する番組情
報取得部と、
取得した前記番組情報を保存する番組情報保存部と、
前記番組情報保存部で保存した前記番組情報に対して、番組終了時刻を取得する番組時
刻取得部と、
前記番組時刻取得部で取得した前記番組終了時刻を前記電源をオフする電源オフ時刻と
して設定し、また前記番組終了時刻と前記冷却の期間としての所要時間とから前記冷却の
動作を開始する時刻を算出して冷却開始時刻として設定するタイマ時刻設定部と、
現在時刻が、前記タイマ時刻設定部により設定された前記電源オフ時刻および前記冷却
開始時刻に達したか否かを判断するタイマ時刻判断部と、
前記タイマ時刻判断部が起動し、現在時刻が前記冷却開始時刻に達したと判断された場
合、前記光源装置を消灯させるとともに、前記冷却の動作を開始させ、前記音声を前記出
力部に出力させ、また、現在時刻が前記電源オフ時刻に達したと判断された場合、前記冷
却の動作および前記音声の出力を停止し、併せて前記プロジェクタの電源をオフする制御
を行う制御部と、を備えることを特徴とするプロジェクタ。
【発明の詳細な説明】
【技術分野】
【０００１】
本発明は、プロジェクタに関し、特にテレビジョン放送を受信するプロジェクタに関す
るものである。
【背景技術】
【０００２】
従来、テレビジョン放送を受信するテレビジョン装置には、オフタイマの機能が搭載さ
れたものがある。テレビジョン放送を視聴中にオフタイマをセットして起動させることに
より、セットした時間の経過後にテレビジョン装置の電源をオフすることができる。また
、特許文献１には、タイマ設定時に、画面の明るさ及び音量を予め記憶させておいた状態
に設定できるものが提示されている。
【０００３】
【特許文献１】特開２００４−２３６２６８号公報
【発明の開示】
【発明が解決しようとする課題】
【０００４】
なお、テレビジョン放送を受信し、ランプを搭載して受信したテレビジョン放送の番組
映像を投写するプロジェクタにおいて、オフタイマを搭載し、オフタイマをセットして起
動させることにより、セットした時間の経過後にプロジェクタの電源をオフさせることが
できる。しかし、オフタイマにより電源をオフすることで、ランプを消灯するのと同時に
今までランプを冷却していた冷却ファンを止めてしまった場合、ランプの温度が急激に上
昇してしまうという現象が発生する。そのために、電源をオフする際には、ランプの消灯
後に、ランプの温度上昇を抑えて、ランプの温度を下げるための冷却動作（以降、「クー
ルダウン」という。）が通常は必要となる。しかし、クールダウンを行うことにより、冷
却ファンが駆動（回転）するため、冷却ファンの駆動音（回転音）が発生し、その音や冷
却ファンの駆動による振動音などがプロジェクタの外部に漏れることにより、視聴者には
、騒音として聞こえてしまうという課題があった。
【０００５】
本発明は、上記課題に鑑みてなされたものであり、クールダウン中の冷却ファンの駆動
音などによる騒音を緩和するプロジェクタを提供することを目的とする。
【課題を解決するための手段】
【０００６】
上述した目的を達成するために、本発明のプロジェクタは、光束を射出する光源装置の
消灯後に、継続して発熱部位の冷却を行うテレビジョン放送受信機能付きのプロジェクタ
であって、冷却の期間中は、音声が出力されることを特徴とする。
【０００７】
このようなプロジェクタによれば、光源装置の消灯後における冷却の期間内（クールダ
ウン中）は、音声が出力されることにより、クールダウン中の冷却ファンの駆動音などに
よる騒音に対し、音声を出力することで騒音を緩和することができる。
【０００８】
上記プロジェクタにおいて、冷却の期間が終了すると、冷却の動作および音声出力を停
止させ、併せてプロジェクタの電源をオフさせることが好ましい。
【０００９】
このようなプロジェクタによれば、冷却の期間が終了してから電源をオフさせることに
より、発熱部位を冷却させてから、電源をオフさせることで、発熱部位の品質を維持でき
る。例えば発熱する光源装置を冷却させてから、電源をオフさせることで、光源装置の品
質を維持できる。
【００１０】
上記プロジェクタにおいて、光源装置から射出された光束を画像情報に応じて変調して
光学像を形成する光変調部と、光変調部により形成された光学像を投写する投写部と、テ
レビジョン放送を受信する受信部と、音声を出力する出力部と、所定時間を計時するタイ
マ部と、タイマ部が起動し、計時時間が所定時間に達すると光源装置を消灯させると共に
、冷却の動作を開始させ、冷却の期間内では、音声を出力部に出力させる制御を行う制御
部と、を備えることが好ましい。
【００１１】
このようなプロジェクタによれば、光変調部で光束を画像情報に応じて変調して光学像
を形成し、投写部で光変調部により形成された光学像を投写する。受信部でテレビジョン
放送を受信する。出力部で受信したテレビジョン放送の音声を出力する。そして、所定時
間を計時するタイマ部が起動して計時時間が所定時間に達すると、制御部は、光源装置を
消灯させると共に、冷却の動作（クールダウン）を開始させて、冷却の期間内（クールダ
ウン中）では、音声を出力部に出力させる。このような構成と動作により、クールダウン
中の騒音に対し、音声を出力することで騒音を緩和することができる。
例えばユーザが就寝しようとする場合、タイマを使用することにより、所定時間に達す
ると、光源装置が消灯し、テレビジョン放送の映像の投写が停止し、クールダウンが開始
する。クールダウン中にはテレビジョン放送の音声が出力されることにより騒音を緩和で
き、就寝を妨げられることがなくなる。
【００１２】
上記プロジェクタにおいて、光源装置から射出された光束を画像情報に応じて変調して
光学像を形成する光変調部と、光変調部により形成された光学像を投写する投写部と、テ
レビジョン放送を受信する受信部と、音声を出力する出力部と、プロジェクタの電源をオ
フするまでの時間を、光源装置を消灯させるまでの第１所定時間と、光源装置消灯後に発
熱部位の冷却を行う第２所定時間とに分けて計時するタイマ部と、タイマ部が起動し、計
時時間が第１所定時間に達すると光源装置を消灯させるとともに、冷却の動作を開始させ
、音声を出力部に出力させ、計時時間が第２所定時間に達すると、冷却の動作および音声
の出力を停止し、併せてプロジェクタの電源をオフする制御を行う制御部と、を備えるこ
とが好ましい。
【００１３】
このようなプロジェクタによれば、タイマ部は、プロジェクタの電源をオフするまでの
時間を、光源装置を消灯させるまでの第１所定時間と、光源装置消灯後に発熱部位の冷却
を行う第２所定時間とに分けて計時する。そして、タイマ部が起動して、計時時間が第１
所定時間に達すると、制御部は、光源装置を消灯させるとともに、冷却の動作（クールダ
ウン）を開始させ、音声を出力部に出力させる。また、計時時間が第２所定時間に達する
と、制御部は、冷却の動作および音声の出力を停止し、併せてプロジェクタの電源をオフ
する。このような構成と動作により、第２所定時間の範囲内となるクールダウン中の騒音
に対し、音声を出力することで騒音を緩和することができる。
例えばユーザが就寝しようとする場合、タイマを使用することにより、第１所定時間に
達すると、光源装置が消灯し、テレビジョン放送の映像の投写が停止し、クールダウンが
開始する。第２所定時間の範囲内となるクールダウン中は、テレビジョン放送の音声が出
力されることにより騒音を緩和でき、就寝を妨げられることがなくなる。
【００１４】
上記プロジェクタにおいて、光源装置から射出された光束を画像情報に応じて変調して
光学像を形成する光変調部と、光変調部により形成された光学像を投写する投写部と、テ
レビジョン放送を受信する受信部と、受信部で受信したテレビジョン放送の音声を出力す
る出力部と、受信部で受信するテレビジョン放送の信号の中から番組情報を取得する番組
情報取得部と、取得した番組情報を保存する番組情報保存部と、番組情報保存部で保存し
た番組情報に対して、番組終了時刻を取得する番組時刻取得部と、番組時刻取得部で取得
した番組終了時刻を電源をオフする電源オフ時刻として設定し、また番組終了時刻と冷却
の期間としての所要時間とから冷却の動作を開始する時刻を算出して冷却開始時刻として
設定するタイマ時刻設定部と、現在時刻が、タイマ時刻設定部により設定された電源オフ
時刻および冷却開始時刻に達したか否かを判断するタイマ時刻判断部と、タイマ時刻判断
部が起動し、現在時刻が冷却開始時刻に達したと判断された場合、光源装置を消灯させる
とともに、冷却の動作を開始させ、音声を出力部に出力させ、また、現在時刻が電源オフ
時刻に達したと判断された場合、冷却の動作および音声の出力を停止し、併せてプロジェ
クタの電源をオフする制御を行う制御部と、を備えることが好ましい。
【００１５】
このようなプロジェクタによれば、番組情報取得部は、受信部で受信するテレビジョン
放送の信号の中から番組情報を取得し、番組情報保存部は、番組情報を保存する。そして
、番組時刻取得部は、番組情報から番組終了時刻を取得する。タイマ時刻設定部は、番組
終了時刻を電源をオフする電源オフ時刻として設定する。また、番組終了時刻と冷却の期
間として必要となる所要時間とから冷却の動作を開始する時刻を算出して冷却開始時刻と
して設定する。タイマ時刻判断部は、現在時刻が、タイマ時刻設定部により設定された電
源オフ時刻および冷却開始時刻に達したか否かを判断する。制御部は、タイマ時刻判断部
が起動し、現在時刻が冷却開始時刻に達したと判断された場合、光源装置を消灯させ、冷
却の動作（クールダウン）を開始させ、音声を出力部に出力させる。また、現在時刻が電
源オフ時刻に達したと判断された場合、冷却の動作（クールダウン）および音声の出力を
停止し、プロジェクタの電源をオフする制御を行う。このような構成と動作により、現在
時刻が冷却開始時刻に達してから電源オフ時刻に達するまでの範囲内となるクールダウン
中の騒音に対し、音声を出力することで騒音を緩和することができる。
テレビジョン放送に含まれる番組情報から番組終了時刻を取得して、冷却開始時刻や電
源オフ時刻をタイマ時刻として用いることにより、例えばユーザが就寝しようとする場合
、このようなタイマを起動させることにより、冷却開始時刻に達すると、光源装置が消灯
し、テレビジョン放送の映像の投写が停止し、クールダウンが開始する。クールダウンが
開始して電源オフ時刻に達するまでの範囲内となるクールダウン中は、テレビジョン放送
の音声が出力されることにより騒音を緩和でき、就寝を妨げられることがなくなる。
【発明を実施するための最良の形態】
【００１６】
以下、本発明の実施形態を図面に基づいて説明する。
（第１実施形態）
【００１７】
図１は、本発明の第１実施形態に係るプロジェクタの構成を示すブロック図である。図
１を用いて、プロジェクタ１の構成および動作を説明する。
【００１８】
図１に示すように、プロジェクタ１は、受信部としてのチューナ１１、入力選択部１２
、映像音声処理部１３、映像処理部１４、液晶パネル駆動部１５、音声処理部１６、音声
出力部としてのスピーカ１７、ランプ駆動部１８、キー入力処理部１９、リモコン受光部
２０、タイマ部３０、電源部４０、電源制御部４１、冷却制御部５０、温度検出部５１、
冷却ファン５２および制御部１０などを有して構成される。
【００１９】
また、プロジェクタ１の光学系７０は、光源装置としてのランプ７１、光変調部として
の液晶パネル７２および投写部としての投写レンズ７３などを有して構成される。
また、プロジェクタ１の外装を構成する外装ケース９０には、吸気口９１が形成され、
吸気口９１の近傍には、フィルタ９２などが設置されている。
【００２０】
プロジェクタ１は、制御部１０により統括制御されている。また、制御部１０は、ＣＰ
Ｕ（Central Processing Unit）で構成される。このＣＰＵは、ＲＯＭ（Read Only Memor
y）及びＲＡＭ（Random Access Memory）を有して構成される。また、冷却制御部５０は
、プロジェクタ１の内部の冷却動作に関する制御を行っている。また、冷却制御部５０は
、制御部１０と同様に構成されている。なお、冷却制御部５０は、制御部１０の中の一部
として構成されていても良い。
【００２１】
リモコン（リモートコントローラ）８０は、例えば押ボタン式のキースイッチを有して
おり、キースイッチを押下すると、押下されたキースイッチに応じて、リモート制御信号
をリモコン受光部２０に送信する。そして、キー入力処理部１９において、入力したリモ
ート制御信号をデジタルコードデータに変換して制御部１０に出力する。制御部１０は、
入力されたデジタルコードデータに対する制御信号を制御内容に応じて入力選択部１２や
映像音声処理部１３やランプ駆動部１８やタイマ部３０などに出力することにより、例え
ばテレビジョン放送のチャンネル切替え、外部接続機器８１の切替え、投写条件の各種設
定、ランプ７１の点灯・消灯、タイマの設定および駆動の開始などの動作を実行させる。
【００２２】
なお、本実施形態のプロジェクタ１は、受信部としてのチューナ１１を有しており、テ
レビジョン放送を受信する。また、プロジェクタ１は、パソコン（パーソナルコンピュー
タ）、ビデオテープレコーダ、ＤＶＤ（Digital Versatile Disk）プレーヤなどの外部接
続機器８１を接続することができる。
【００２３】
プロジェクタ１を構成する各部の動作を簡単に説明する。
なお、リモコン８０からのリモート制御信号により、テレビジョン放送を受信し、プロ
ジェクタ１の外部に設置されるスクリーン５００に映像を投写するまでを例にして説明す
る。
【００２４】
リモコン８０からのリモート制御信号により制御部１０は、入力選択部１２に制御信号
を送信する。そして入力選択部１２は、チューナ１１の受信するテレビジョン信号を映像
音声処理部１３に入力させる。映像音声処理部１３は、入力したテレビジョン信号の中の
映像データ部分を順次映像処理部１４に出力し、また、音声データ部分を順次音声処理部
１６に出力する。
【００２５】
映像処理部１４は、入力する映像データをデコードして圧縮符号化前の映像データに変
換し、これを例えばＲＧＢ信号変換やγ補正処理などを行い、映像データをビデオ信号に
変換する。そして、このビデオ信号を液晶パネル駆動部１５に出力する。液晶パネル駆動
部１５は、映像処理部１４から入力するビデオ信号と、ビデオ信号に基づく液晶パネル駆
動電圧などを光変調部としての液晶パネル７２に供給し駆動する。
【００２６】
一方、音声処理部１６は、音声データをデコードして圧縮符号化前の音声データに変換
し、これをデジタルアナログ変換して音声データをアナログ音声信号に変換して出力部と
してのスピーカ１７に出力する。なお、音声処理部１６は、音量増幅部を有しており、音
量の増幅を行ってスピーカ１７に出力する。これにより、スピーカ１７は、増幅されて入
力するアナログ音声信号を番組音声として出力する。
【００２７】
電源部４０は、プロジェクタ１の外部の商用電源などから電源ケーブル（図示省略）を
介して交流電力を導き、内蔵するＡＣ／ＤＣ変換部（図示省略）で変圧・整流・平滑など
の処理を行い、安定化させた直流電圧をプロジェクタ１を構成する各部に供給する。
【００２８】
なお、電源部４０は、メイン電源部とサブ電源部とが構成されている。メイン電源部は
、プロジェクタ１が通常の動作時に必要な電力を供給し、サブ電源部は、リモコン８０の
操作などにより、プロジェクタ１の動作を停止させた後、リモコン８０などの操作による
プロジェクタ１を起動させる信号を待ち受ける動作状態に必要な電力を供給する。
電源制御部４１は、タイマ部３０からの信号により、メイン電源をオフして、サブ電源
に切替える動作などを行う。
【００２９】
タイマ部３０およびタイマ部３０の動作による制御部１０の動作を説明する。
タイマ部３０は、本実施形態では、プロジェクタ１の電源をオフするまでの時間を、ラ
ンプ７１を消灯させるまでの第１所定時間と、ランプ７１の消灯後に発熱部位となるラン
プ７１の冷却を行う第２所定時間とに分けて設定してそれぞれの時間を計時する。
【００３０】
また、タイマ部３０は、起動して、計時時間が所定時間に達したか否かの判断部として
動作し、第１所定時間および第２所定時間に達した場合には、達したという信号を制御部
１０に出力する。
【００３１】
タイマ部３０に対する時間の設定は、ユーザがリモコン８０を使用して、スクリーン５
００に投写される設定用画面などを見ながら対話形式で操作を行い、設定用画面に対して
リモコン８０を操作してプロジェクタ１の電源をオフするまでの時間を入力する。例えば
プロジェクタ１の電源をオフするまでの時間を、「２０分」と設定した場合、タイマ部３
０は、ランプ７１を消灯させるまでの第１所定時間と、ランプ７１消灯後にランプ７１の
冷却を行う第２所定時間とに分けて時間を設定する。本実施形態では、ランプ７１消灯後
にランプ７１の冷却を行う第２所定時間は、クールダウンの実験結果などから初期設定さ
れており、その値は「２分」としている。従って、ユーザが、プロジェクタ１の電源をオ
フするまでの時間を、「２０分」と設定した場合、タイマ部３０は、第１所定時間として
「１８分」、第２所定時間として「２分」を設定する。
【００３２】
なお、制御部１０は、タイマ部３０からの計時時間が第１所定時間に達したという信号
を受けて、ランプ７１を消灯させるとともに、クールダウンを開始させる。同時にテレビ
ジョン放送の番組映像を停止させ、番組の音声のみを出力部としてのスピーカ１７から出
力する。そして、タイマ部３０からの計時時間が第２所定時間に達したという信号を受け
て、クールダウンを停止させ、番組音声の出力を停止する。同時にプロジェクタ１の電源
をオフする。本実施形態では、電源のオフとして、電源制御部４１は、電源部４０におい
てメイン電源をオフしてサブ電源に切替える制御を行う。
【００３３】
プロジェクタ１の光学系７０の構成および動作を説明する。
光学系７０は、詳細には、光源装置と、照明光学系と、光変調部と、色合成光学系と、
投写部とを有して構成されている。
【００３４】
光源装置は、本実施形態では、放電式のランプ７１を用いており、発光管で発光した光
束をリフレクタで反射させて平行光として、次の照明光学系に射出する。なお、ランプ７
１は、制御部１０からの制御信号を受信したランプ駆動部１８により駆動される。また、
本実施形態のランプ７１は、高圧水銀ランプを使用している。
【００３５】
照明光学系（図示省略）は、光源装置（ランプ７１）から射出された光束の照度を均一
化し、各色光（赤色光、緑色光および青色光）に分離する。
【００３６】
光変調部は、本実施形態では、液晶パネル７２を用いており、照明光学系で分離された
各色光の光束に対して画像情報に応じて変調して光学像を形成する。なお、液晶パネル７
２は、前述した液晶パネル駆動部１５により駆動される。また、本実施形態の液晶パネル
７２は、各色光に対応させて、３枚の液晶パネル７２を使用している。
【００３７】
色合成光学系（図示省略）は、照明光学系で色分離され光変調部（液晶パネル７２）で
変調された各色光の光学像を合成する。
【００３８】
投写部は、本実施形態では、投写レンズ７３を用いており、各種レンズ群で構成され、
色合成光学系で合成された光学像を投写する。
上記光学系７０の構成および動作により、テレビジョン放送の番組映像をプロジェクタ
１の外部に設置されるスクリーン５００に投写する。
【００３９】
プロジェクタ１の冷却構造および動作を説明する。
本実施形態のプロジェクタ１は、光源装置としてのランプ７１の発熱に対して冷却ファ
ン５２を用いて冷却している。以下に、ランプ７１の冷却構造および動作を説明する。
【００４０】
プロジェクタ１は外装ケース９０により、外装が構成されている。また外装ケース９０
には吸気口９１が形成され、外装ケース９０の内面側に吸気口９１を覆う形態で、フィル
タ９２が設置されている。また、ランプ７１とフィルタ９２との間には、冷却ファン５２
が設置される構成となっている。
【００４１】
このような構成において、冷却制御部５０からの駆動信号により冷却ファン５２が駆動
を開始することにより、吸気口９１およびフィルタ９２を介して、プロジェクタ１の外部
の外気をプロジェクタ１の内部に吸気する。吸気された外気は、冷却ファン５２に導入さ
れ、冷却ファン５２の吐出口（図示省略）から吐出される。冷却ファン５２から吐出され
た外気は、ランプ７１に吹き付けられる。ランプ７１に外気が吹き付けられることにより
、発熱しているランプ７１の熱を放熱させる。放熱されて温まった外気は、図示しない外
装ケース９０に設置される排気口からプロジェクタ１の外部に排気される。この一連の動
作により、ランプ７１は冷却される。なお、フィルタ９２は、外気を吸気した際に外気に
含まれる粉塵などがプロジェクタ１の内部に取り込まれることを防止している。
【００４２】
冷却制御部５０は、温度検出部５１で検出されるランプ７１の温度に対応して、冷却制
御部５０内の制御情報保存部（図示省略）に保存されるランプ７１の検出温度に対する冷
却ファン５２の駆動方法を示す制御用テーブルに基づいて、冷却ファン５２を駆動し冷却
動作を制御している。
【００４３】
図２は、本実施形態でのタイマ部を用いた動作に関する処理手順を示すフローチャート
である。図２を用いて処理手順を説明する。なお、本フローは、上述したように、第１所
定時間、第２所定時間が設定されており、例えば第１所定時間として「１８分」、第２所
定時間として「２分」が設定されていることを前提として説明する。また、現在、テレビ
ジョン放送を視聴中であることを前提として説明する。
【００４４】
ユーザのリモコン８０の操作による信号を、タイマ部３０を駆動させる信号として制御
部１０が受信すると、制御部１０は本ルーチンを開始する。
【００４５】
ステップＳ１００において制御部１０は、タイマ部３０に第１所定時間「１８分」に対
する計時時間の計測を開始させる。次にステップＳ１０１へ移行する。
【００４６】
ステップＳ１０１においてタイマ部３０は、計時時間が第１所定時間に達したか否かを
判断する。第１所定時間「１８分」に達した場合、第１所定時間に達したという信号を制
御部１０に出力する。次に、ステップＳ１０２へ移行する。
【００４７】
ステップＳ１０２において制御部１０は、ランプ駆動部１８に対して、光源装置として
のランプ７１を消灯させるための信号を出力する。それにより、ランプ駆動部１８は、ラ
ンプ７１を消灯させる。同時に、ステップＳ１０３へ移行する。
【００４８】
ステップＳ１０３において制御部１０は、映像音声処理部１３に対して、視聴中のテレ
ビジョン放送の映像（番組映像）の液晶パネル７２への出力を停止させて音声（番組音声
）の出力は継続させるための信号を出力する。それにより、映像音声処理部１３は、テレ
ビジョン放送の映像の液晶パネル７２への出力を停止させ、音声の出力は継続させる。こ
れにより、スクリーン５００には何も投写されず、番組音声だけがスピーカ１７から出力
される状態となる。同時に、ステップＳ１０４へ移行する。
【００４９】
ステップＳ１０４において制御部１０は、冷却制御部５０に対して、クールダウンを開
始させる信号を出力する。それにより、冷却制御部５０は、クールダウンを開始させる。
本実施形態では、詳細には、冷却ファン５２は、冷却制御部５０によりランプ７１の点灯
時から駆動されており、クールダウン中も、その駆動を継続する仕様となっている。しか
し、冷却制御部５０は、クールダウン中は、ランプ７１の点灯状態での制御とは異なった
制御の仕様により、冷却ファン５２の駆動を制御している。同時に、ステップＳ１０５へ
移行する。
【００５０】
ステップＳ１０５において制御部１０は、タイマ部３０に第２所定時間「２分」に対す
る計時時間の計測を開始させる。次にステップＳ１０６へ移行する。
【００５１】
ステップＳ１０６においてタイマ部３０は、計時時間が第２所定時間に達したか否かを
判断する。第２所定時間「２分」に達した場合、第２所定時間に達したという信号を制御
部１０に出力する。次に、ステップＳ１０７へ移行する。
【００５２】
ステップＳ１０７において制御部１０は、冷却制御部５０に対して、クールダウンを終
了させる。同時に、ステップＳ１０８へ移行する。
【００５３】
ステップＳ１０８において制御部１０は、映像音声処理部１３に対して、スピーカ１７
から出力されている番組音声を停止させるための信号を出力し、音声を停止させる。同時
に、ステップＳ１０９へ移行する。
【００５４】
ステップＳ１０９において制御部１０は、電源制御部４１に対して、メイン電源をオフ
して、サブ電源に切替えさせるための信号を出力する。電源制御部４１は信号を受取り、
メイン電源をオフして、サブ電源に切替える。以上で、本ルーチンは終了する。
【００５５】
上述した、第１実施形態によれば以下の効果が得られる。
（１）本実施形態のプロジェクタ１によれば、タイマ部３０は、プロジェクタ１の電源
をオフするまでの時間を、ランプ７１を消灯させるまでの第１所定時間と、ランプ７１の
消灯後にランプ７１の冷却を行う第２所定時間とに分けて計時する。そして、タイマ部３
０が起動して、計時時間が第１所定時間に達すると、制御部１０は、ランプ７１を消灯さ
せるとともに、冷却ファン５２の駆動を継続させることにより、クールダウンを開始させ
、映像の液晶パネル７２への出力を停止させ、音声のスピーカ１７からの出力を継続させ
る。また、計時時間が第２所定時間に達すると、制御部１０は、クールダウンおよび音声
の出力を停止し、併せてプロジェクタ１の電源をオフ（本実施形態では、電源部４０を構
成するメイン電源をオフして、サブ電源に切替える）する。このような構成と動作により
、第２所定時間の範囲内となるクールダウン中の冷却ファン５２の駆動音や冷却ファン５
２の駆動による外装ケース９０の振動音などによる騒音に対し、音声を出力することで騒
音を緩和することができる。
例えばユーザが就寝しようとする場合、プロジェクタ１の電源をオフする時間を設定す
ると、タイマ部３０は、第１所定時間および第２所定時間を設定して、タイマを駆動させ
、第１所定時間に達した場合、ランプ７１が消灯し、テレビジョン放送の映像の投写が停
止し、クールダウンが開始する。第２所定時間の範囲内となるクールダウン中は、テレビ
ジョン放送の音声が出力されることにより、騒音を緩和でき、就寝を妨げられることがな
くなる。
（第２実施形態）
【００５６】
図３は、本発明の第２実施形態に係るプロジェクタの構成を示すブロック図である。図
３を用いて、プロジェクタ２の構成および動作を説明する。
【００５７】
本実施形態と第１実施形態との異なる点は、本実施形態では、番組情報取得部６０を備
えた点と、タイマ部３５がタイマ時刻判断部としての動作を行う点である。その他の構成
は第１実施形態と同様である。なお、第１実施形態と同様の構成には、同様の符号を付記
している。
【００５８】
番組情報取得部６０は、チューナ１１を介して受信したテレビジョン信号に多重化して
提供されているＥＰＧ（Electronic Program Guide：電子番組表）情報（以降、番組情報
という。）を取得する。なお、番組情報は、各チャンネルの番組放送時間や番組内容など
の各種情報からなる。また、番組情報取得部６０に構成される番組情報保存部（図示省略
）は、取得した番組情報を保存する。
【００５９】
番組時刻取得部は、制御部１０の対応するプログラムの実行により構成され、番組情報
保存部に保存した番組情報を読み出して、番組情報から番組終了時刻を取得する。
【００６０】
タイマ時刻設定部は、制御部１０の対応するプログラムの実行により構成され、番組時
刻取得部で取得した番組終了時刻を電源をオフする電源オフ時刻として設定する。また、
番組終了時刻と冷却の期間（クールダウン）として必要となる所要時間とから冷却の動作
を開始する時刻を算出して、クールダウンを開始する冷却開始時刻として設定する。
【００６１】
例えば、番組時刻取得部で取得した番組終了時刻が、「１９時３０分」であった場合、
この「１９時３０分」を、電源をオフする電源オフ時刻として設定する。また、クールダ
ウンとして必要となる所要時間が、例えば「３分」であった場合、冷却の動作（クールダ
ウン）を開始する時刻は、「１９時２７分」として算出される。そして、クールダウンを
開始する冷却開始時刻として「１９時２７分」が設定される。
【００６２】
なお、番組終了時刻を使用したタイマ設定は、ユーザがリモコン８０を使用して、スク
リーン５００に投写される設定用画面などを見ながら対話形式で行い、例えば番組終了時
刻を使用するタイマ設定を行うか否かの設定用画面から番組終了時刻を使用したタイマ設
定を行うことを選択した場合に設定可能となる。
【００６３】
タイマ時刻判断部は、タイマ部３５の対応するプログラムの実行により構成され、現在
時刻が、タイマ時刻設定部により設定された電源オフ時刻および冷却開始時刻に達したか
否かを判断する。
【００６４】
制御部１０は、本実施形態では、タイマ時刻判断部が起動し、現在時刻が冷却開始時刻
に達したと判断された場合、光源装置としてのランプ７１を消灯させ、クールダウンを開
始させ、音声を出力部としてのスピーカ１７に出力させる。また、現在時刻が電源オフ時
刻に達したと判断された場合、クールダウンおよび音声の出力を停止し、プロジェクタ２
の電源をオフさせる（本実施形態では、メイン電源をオフし、サブ電源に切替えさせる）
制御を行う。
【００６５】
図４は、本実施形態でのタイマ部を用いた動作に関する処理手順を示すフローチャート
である。図４を用いて処理手順を説明する。なお、本フローは、上述したように、ユーザ
により、番組終了時刻を使用したタイマ設定を行うことが選択され、番組終了時刻が「１
９時３０分」であり、冷却開始時刻として「１９時２７分」が設定されていることを前提
として説明する。また、現在、テレビジョン放送を視聴中であることを前提として説明す
る。
【００６６】
ユーザのリモコン８０操作による信号を、タイマ部３５を駆動させる信号として制御部
１０が受信すると、制御部１０は本ルーチンを開始する。
【００６７】
ステップＳ２００において制御部１０は、タイマ部３５に現在時刻を取得させる。次に
ステップＳ２０１へ移行する。
【００６８】
ステップＳ２０１においてタイマ部３５は、タイマ時刻判断部として動作し、現在時刻
が、冷却開始時刻「１９時２７分」に達したか否かを判断する。冷却開始時刻に達しない
場合には、ステップＳ２００からの動作を繰返す。また、冷却開始時刻に達した場合には
、その信号を制御部１０に送信する。次に、ステップＳ２０２へ移行する。
【００６９】
ステップＳ２０２において制御部１０は、ランプ駆動部１８に対して、光源装置として
のランプ７１を消灯させるための信号を出力する。それにより、ランプ駆動部１８は、ラ
ンプ７１を消灯させる。同時に、ステップＳ２０３へ移行する。
【００７０】
ステップＳ２０３において制御部１０は、映像音声処理部１３に対して、視聴中のテレ
ビジョン放送の映像（番組映像）の液晶パネル７２への出力を停止させて音声（番組音声
）の出力は継続させるための信号を出力する。それにより、映像音声処理部１３は、テレ
ビジョン放送の映像の液晶パネル７２への出力を停止させ、音声の出力は継続させる。こ
れにより、スクリーン５００には何も投写されず、番組音声だけがスピーカ１７から出力
される状態となる。同時に、ステップＳ２０４へ移行する。
【００７１】
ステップＳ２０４において制御部１０は、冷却制御部５０に対して、クールダウンを開
始させる信号を出力する。それにより、冷却制御部５０は、クールダウンを開始させる。
本実施形態では、詳細には、冷却ファン５２は、冷却制御部５０によりランプ７１の点灯
時から駆動されており、クールダウン中も、その駆動を継続する仕様となっている。しか
し、冷却制御部５０は、クールダウン中は、ランプ７１の点灯状態での制御とは異なった
制御の仕様により、冷却ファン５２の駆動を制御している。同時に、ステップＳ２０５へ
移行する。
【００７２】
ステップＳ２０５において制御部１０は、タイマ部３５に現在時刻を取得させる。次に
ステップＳ２０６へ移行する。
【００７３】
ステップＳ２０６においてタイマ部３５は、タイマ時刻判断部として動作し、現在時刻
が、電源オフ時刻「１９時３０分」に達したか否かを判断する。電源オフ時刻に達しない
場合には、ステップＳ２０５からの動作を繰返す。また、電源オフ時刻に達した場合には
、その信号を制御部１０に送信する。次に、ステップＳ２０７へ移行する。
【００７４】
ステップＳ２０７において制御部１０は、冷却制御部５０に対して、クールダウンを終
了させる。同時に、ステップＳ２０８へ移行する。
【００７５】
ステップＳ２０８において制御部１０は、映像音声処理部１３に対して、スピーカ１７
から出力されている番組音声を停止させるための信号を出力し、音声を停止させる。同時
に、ステップＳ２０９へ移行する。
【００７６】
ステップＳ２０９において制御部１０は、電源制御部４１に対して、メイン電源をオフ
して、サブ電源に切替えさせるための信号を出力する。電源制御部４１は信号を受取り、
メイン電源をオフして、サブ電源に切替える。以上で、本ルーチンは終了する。
【００７７】
上述した、第２実施形態によれば以下の効果が得られる。
（１）本実施形態のプロジェクタ２によれば、番組情報取得部６０は、チューナ１１で
受信するテレビジョン放送の信号の中から番組情報を取得し、番組情報保存部は、番組情
報を保存する。そして、番組時刻取得部は、番組情報から番組終了時刻を取得する。タイ
マ時刻設定部は、番組終了時刻を電源をオフする電源オフ時刻として設定する。また、番
組終了時刻と冷却の期間として必要となる所要時間とから冷却の動作（クールダウン）を
開始する時刻を算出して冷却開始時刻として設定する。タイマ時刻判断部は、現在時刻が
、タイマ時刻設定部により設定された電源オフ時刻および冷却開始時刻に達したか否かを
判断する。制御部は、タイマ時刻判断部が起動し、現在時刻が冷却開始時刻に達したと判
断された場合、ランプ７１を消灯させ、クールダウンを開始させ、音声を出力部に出力さ
せる。また、現在時刻が電源オフ時刻に達したと判断された場合、クールダウンおよび音
声の出力を停止し、プロジェクタ２の電源をオフ（本実施形態では、電源部４０を構成す
るメイン電源をオフして、サブ電源に切替える）する。このような構成と動作により、現
在時刻が冷却開始時刻に達してから電源オフ時刻に達するまでの範囲内となるクールダウ
ン中の冷却ファン５２の駆動音や冷却ファン５２の駆動による外装ケース９０の振動音な
どによる騒音に対し、音声を出力することで騒音を緩和することができる。
例えばユーザが就寝しようとする場合、番組終了時刻を用いたタイマ設定を選択するこ
とにより、冷却開始時刻や電源オフ時刻をタイマ設定でき、タイマを起動させることによ
り、冷却開始時刻に達すると、光源装置が消灯し、テレビジョン放送の映像の投写が停止
し、クールダウンが開始する。クールダウンが開始して電源オフ時刻に達するまでの範囲
内となるクールダウン中は、テレビジョン放送の音声が出力されることにより騒音を緩和
でき、就寝を妨げられることがなくなる。
【００７８】
なお、本発明は、上述した実施形態に限定されず、種々の変更や改良などを加えること
が可能である。変形例を以下に述べる。
【００７９】
（変形例１）前記実施形態では、クールダウンが開始される直前にランプ７１を消灯し
、併せて視聴中のテレビジョン放送の映像（番組映像）の液晶パネル７２への出力を停止
させて音声（番組音声）の出力は継続させている。しかし、これに限らず、ランプ７１を
消灯させるのみとして、映像の液晶パネル７２への出力は停止させなくても良い。このよ
うにすることにより、ランプ７１が消灯しているため、液晶パネル７２への出力がなされ
ていても、映像は投写されずに音声を聞くことができる。なお、このような場合であって
も、第２所定時間または電源オフ時刻に達すると、映像の液晶パネル７２への出力も音声
の出力と同様に停止される。
【００８０】
（変形例２）前記実施形態では、第２所定時間または電源オフ時刻に達した場合、電源
のオフとして、電源制御部４１は、電源部４０においてメイン電源をオフしてサブ電源に
切替える制御を行う。しかし、これに限らず、メイン電源及びサブ電源を含めて、電源を
オフする制御を行っても良い。
【００８１】
（変形例３）前記第１実施形態では、ランプ７１消灯後にランプ７１の冷却を行う第２
所定時間は、クールダウンの実験結果などから初期設定されており、その値は「２分」と
している。また、前記第２実施形態では、クールダウンとして必要となる所要時間が「３
分」として記述している。しかし、このようにクールダウンの時間は初期設定されている
時間で決められるだけでなく、クールダウンによってランプ７１の温度がどの位の温度と
なったかを温度検出部５１に検出させて、所定の温度となった場合に電源をオフさせるこ
とでも良い。その場合は、電源をオフする時間をユーザが設定するのではなく、冷却の動
作（クールダウン）を開始する時間を所定時間として設定することで良く。その所定時間
に達すると、ランプ７１を消灯させると共に、クールダウンを開始させ、ランプ７１の温
度が所定の温度として温度検出部５１に検出されるまでとなるクールダウン中は、音声を
出力させることで良い。
【００８２】
（変形例４）前記実施形態では、ランプ７１消灯後のクールダウンは、発熱部位として
のランプ７１に対して行っているが、これに限らず、発熱する部位として、例えば液晶パ
ネル７２であったり、電源部４０であったり、照明光学系を構成し光束の偏光方向を略一
方向の偏光光束に変換する偏光変換素子（図示省略）であったりしても良い。このような
発熱部位に対して、ランプ７１消灯後に冷却を継続することでも、本発明を適用でき、同
様の効果を奏することができる。
【００８３】
（変形例５）前記実施形態でのプロジェクタ１，２は、光学系７０を構成する光変調部
として液晶パネル７２を用いている。しかし、これに限らず、一般に、入射光を画像情報
に応じて変調するものであればよく、マイクロミラー型光変調装置などを用いても良い。
なお、マイクロミラー型光変調装置としては、例えば、ＤＭＤ（Digital Micromirror De
vice）（米国ＴＩ社の商標）を用いることができる。
【００８４】
（変形例６）前記実施形態での光学系７０は、透過型液晶方式の液晶パネル７２を用い
ている。しかし、これに限らず、反射型液晶方式であるＬＣＯＳ（Liquid Crystal On Si
licon）方式の液晶パネルなどを用いる光学系としても良い。
【００８５】
（変形例７）前記実施形態でのプロジェクタ１，２は、光学系７０を構成する光変調部
として液晶パネル７２を３枚使用する３板方式を用いている。しかし、これに限らず、液
晶パネルを１枚使用する単板方式を用いても良い。なお、単板方式を用いた場合には、照
明光学系での色分離および色合成光学系などは不要とすることができる。
【００８６】
（変形例８）前記実施形態でのプロジェクタ１，２は、外部に設置されるスクリーン５
００に光学像の投写を行うフロントタイプのプロジェクタ１を用いている。しかし、これ
に限らず、プロジェクタの内部にスクリーンを有して、そのスクリーンに光学像を投写す
るリアタイプのプロジェクタを用いても良い。
【図面の簡単な説明】
【００８７】
【図１】本発明の第１実施形態に係るプロジェクタの構成を示すブロック図。
【図２】タイマ部を用いた動作に関する処理手順を示すフローチャート。
【図３】本発明の第２実施形態に係るプロジェクタの構成を示すブロック図。
【図４】タイマ部を用いた動作に関する処理手順を示すフローチャート。
【符号の説明】
【００８８】
１，２…プロジェクタ、１０…制御部、１１…チューナ、１２…入力選択部、１３…映
像音声処理部、１４…映像処理部、１５…液晶パネル駆動部、１６…音声処理部、１７…
スピーカ、３０，３５…タイマ部、４０…電源部、４１…電源制御部、５０…冷却制御部
、５１…温度検出部、５２…冷却ファン、６０…番組情報取得部、７０…光学系、７１…
光源装置としてのランプ、７２…光変調部としての液晶パネル、７３…投写部としての投
写レンズ。
【図１】
2007281558.tif 000003
【図２】
2007281558.tif 000004
【図３】
2007281558.tif 000005
【図４】
2007281558.tif 000006